(57)【特許請求の範囲】
【請求項１】
上面に載置する地被植物に水分を補給するための多孔質の材料よりなる透水性を有する透水性ユニット体と、透水性ユニット体を収納し且つ水を溜めるための凹型の箱体とを備え、透水性ユニット体の下面部に下方開口の嵌め込み溝部を形成し、隣接する箱体の側壁に嵌め込み溝部を上方から被嵌することで透水性ユニット体により隣接する箱体を跨いで連結すると共に、透水性ユニット体の下部の嵌め込み溝部の両側の部位をそれぞれ隣接する箱体内に嵌め込み、該隣接する箱体を跨いで連結する透水性ユニット体を介して毛細管現象により箱体内に溜まった水を隣りの箱体に移送可能として成ることを特徴とする地被植物用緑化パネル。
【請求項２】
透水性ユニット体がスポンジ、合成樹脂発泡体、多孔質ゴム等の多数の連続する小空隙を有し且つ柔軟性を有する柔軟性多孔質材であることを特徴とする請求項１記載の地被植物用緑化パネル。
【請求項３】
透水性ユニット体を柔軟性を有する柔軟性多孔質材と柔軟性多孔質材よりも剛性に優れた骨組み材とを組み合わせて構成してあることを特徴とする請求項１記載の地被植物用緑化パネル。
【請求項４】
透水性ユニット体に根が入り込むための孔を形成して成ることを特徴とする請求項１又は請求項２記載の地被植物用緑化パネル。
【請求項５】
透水性ユニット体に肥料を蓄積するための肥料蓄積手段を設けて成ることを特徴とする請求項１乃至請求項４のいずれかに記載の地被植物用緑化パネル。
【請求項６】
箱体にネット等の覆い物を取付けるための覆い物取付け手段を設けて成ることを特徴とする請求項１乃至請求項５のいずれかに記載の地被植物用緑化パネル。
【請求項７】
箱体に複数の排水部を上下方向に設けて成ることを特徴とする請求項１乃至請求項６のいずれかに記載の地被植物用緑化パネル。
【請求項８】
箱体に断熱層を設けて成ることを特徴とする請求項１乃至請求項７のいずれかに記載の地被植物用緑化パネル。
【発明の詳細な説明】
【０００１】
【発明の属する技術分野】
本発明は、建物の屋上、ベランダ等の人工地盤上において植物栽培、特に地被植物を育成するための地被植物用緑化パネルに関するものである。
【０００２】
【従来の技術】
従来、建物の屋上、ベランダ等の人工地盤に植物を栽培する場合は、防水層及び防根層を施したあと、その上に土壌を盛り、その上に植物を栽培するようにしていた。
【０００３】
ところが、土壌を盛るという上記の従来例においては、建物にかかる荷重負担が大きく、その分建物の設計にも影響を与え、また、大がかりな防水工事も必要で、これらの理由により建物の建築コストが高くなり、また、人工地盤における緑化工事のコストも高くなるという問題があった。更に、既存の建物の場合には土壌を盛ることによる荷重の増大のため、上記緑化工事が適用出来ない場合も生じていた。
【０００４】
また、荷重が大きいため、上記のような初期施工が面倒であるだけでなく、移設、増設等も面倒な工事となって、簡単には移設、増設ができないという問題がある。
【０００５】
また、従来にあっては根を生育させて根を絡ませるためには必ず土壌が必要であり、作業者は土壌を扱うため、作業がし難く且つ作業を行っている部分の周囲を汚し、作業者自身も汚れるという問題があり、更に、土壌は雨で流出したり、風で飛散したりするという問題もあった。更に、土壌に水分の補給が均一にできないため、植物の生長にむらがあった。また、薄土壌の場合、自然の水のみでは枯れてしまう植物が多く、このため、水分補給といった管理が必要であるが、従来は手まきで水やりをしたり、自動灌水機等でおこなっていたが、手まきによる水やりは面倒であるとともに均一で適度な給水ができず、また、自動灌水機の場合、工事やメンテナンスが面倒で且つ設備費が高く且つランニングコストが高くなり、更に移設や増設に対して簡単に対応し難いという問題があった。
【０００６】
【発明が解決しようとする課題】
本発明は上記の点に鑑みてなされたものであり、軽量で取扱がしやすく、移設や増設が簡単に行え、しかも、簡単な構成で地被植物に均等に水分の補給ができ、更に、根がらみ機能が良く、水持ち機能にも優れ、取り扱い易く、また、隣接する箱体同士の確実な連結ができ、また、植物に肥料を与える機能を備え、更に植物の飛散防止ができ、また、植物の種類により最適の水量とすることができ、更に、建物との断熱を高めて建物の冷暖房コストを低減できる地被植物用緑化パネルを提供することを課題とするものである。
【０００７】
【課題を解決するための手段】
上記課題を解決するために本発明に係る地被植物用緑化パネルは、上面に載置する地被植物１５に水分を補給するための多孔質の材料よりなる透水性を有する透水性ユニット体１と、透水性ユニット体１を収納し且つ水を溜めるための凹型の箱体２とを備え、透水性ユニット体１の下面部に下方開口の嵌め込み溝部６ａを形成し、隣接する箱体２の側壁２ｂに嵌め込み溝部６ａを上方から被嵌することで透水性ユニット体１により隣接する箱体２を跨いで連結すると共に、透水性ユニット体１の下部の嵌め込み溝部６ａの両側の部位をそれぞれ隣接する箱体２内に嵌め込み、該隣接する箱体２を跨いで連結する透水性ユニット体１を介して毛細管現象により箱体２内に溜まった水を隣りの箱体２に移送可能として成ることを特徴とするものである。このような構成とすることで、透水性ユニット体１と箱体２とよりなるユニット化した軽量で取り扱いやすい地被植物用緑化パネル１４を形成することができ、箱体内に溜めた水を透水ユニット１により毛細管現象で吸い上げて透水性ユニット体１の上面に載置する地被植物１５に給水できるものである。また、透水性ユニット体１の下面部に下方開口の嵌め込み溝部６ａを形成し、隣接する箱体２の側壁２ｂに嵌め込み溝部６ａを上方から被嵌することで透水性ユニット体１により隣接する箱体２を跨いで連結するので、上記上面に載置する地被植物１５に水分を補給するための透水性ユニット体１で隣接する箱体２を連結することができ、しかも、このように透水性ユニット体１に設けた嵌め込み溝部６ａを隣接する箱体２の側壁２ｂに被嵌して隣接する箱体２同士を連結することで、透水性ユニット体１の下部の嵌め込み溝部６ａの両側の部位がそれぞれ隣接する箱体２内に嵌め込まれ、これにより多孔質の材料よりなる透水性を有する透水性ユニット体１を介して一方の箱体２内に多く溜まった水が毛細管現象で隣の箱体２内に移送され、水を次々と隣接する箱体２内に移送循環させるとともに各箱体２内の水位をほぼ一定にするものである。
【０００８】
また、透水性ユニット体１がスポンジ、合成樹脂発泡体、多孔質ゴム等の多数の連続する小空隙を有し且つ柔軟性を有する柔軟性多孔質材３であることが好ましい。このような構成とすることで、地被植物１５の根が多数の連続する小空隙を有し且つ柔軟性を有する柔軟性多孔質材３よりなる透水性ユニット体１内に容易に入り込んで成長し、容易に根絡みすることができるものであり、植物の根が成長して太くなっても柔軟性多孔質材３が柔軟性を有するので内部の小空隙の周囲が変形することで容易に対応できるものであり、毛細管現象で吸い上げられ且つ柔軟性を有する柔軟性多孔質材３よりなる透水性ユニット体１内の小空隙に保水された水を直接透水性ユニット体１内で植物の根に給水できるものである。また、このように柔軟性を有する透水性ユニット体１が根絡みする機能を備えているので根絡みさせるに当たって土壌を必要としないものである。
【０００９】
また、透水性ユニット体１を柔軟性を有する柔軟性多孔質材３と柔軟性多孔質材３よりも剛性に優れた骨組み材７を組み合わせて構成してあることが好ましい。このように柔軟性を有する柔軟性多孔質材３を用いたものであっても骨組み材７と組み合わせることで透水性ユニット体１全体としての剛性を向上させて隣接する箱体２同士を連結することができるものである。
【００１０】
また、透水性ユニット体１に根が入り込むための孔８を形成してあることが好ましい。このような構成とすることで、透水性ユニット体１に孔８から根が入って毛細管現象により供給される水を透水性ユニット体１内で直接根から給水できるものである。
【００１１】
また、透水性ユニット体１に肥料を蓄積するための肥料蓄積手段９を設けてあることが好ましい。このような構成とすることで、肥料を備えたユニット化した軽量で取り扱いやすい地被植物用緑化パネル１４を形成することができるものである。
【００１２】
また、箱体２にネット等の覆い物１０を取付けるための覆い物取付け手段１１を設けてあることが好ましい。このような構成とすることで、覆い物１０を容易に取付けることができて地被植物１５の飛散防止ができるものである。
【００１３】
また、箱体２に複数の排水部１２を上下方向に設けてあることが好ましい。このような構成とすることで、地被植物１５の種類に応じて箱体２内の水量を調整することができるものである。
【００１４】
また、箱体２に断熱層１３を設けることが好ましい。このような構成とすることで、建物との断熱を高めることができるものである。
【００１５】
【発明の実施の形態】
まず、図１乃至図５において参考例につき説明する。
【００１６】
地被植物用緑化パネル１４は、多孔質の材料よりなる透水性を有する透水性ユニット体１と、透水性ユニット体１を収納し且つ水を溜めるための凹型の箱体２とで構成してあり、透水性ユニット体１は略板状をしており、図２に示すように平面視で箱体２にちょうど入る形状、大きさをしている。この地被植物用緑化パネル１４で芝やセダム類等の地被植物１５を栽培するものであり、凹型の箱体２に溜められた水を多孔質の材料よりなる透水性を有する透水性ユニット体１によって吸い上げて地被植物１５に供給することで地被植物１５を成長させるようになっている。
【００１７】
ここで、地被植物用緑化パネル１４は透水性ユニット体１自体に植物の根が入り込んで成長しながら根絡みする根絡みする機能を備えているものの場合には透水性ユニット体１上に直接地被植物１５を載置して栽培するものであり、また、植物の種類によっていっそうの根絡みが必要な場合や透水性ユニット体１が根絡み機能を備えていない場合は、透水性ユニット体１の上に別途不織布、やし殻、ピートモス、樹脂繊維等により形成した根絡み層を積層し、その上に地被植物１５を載置して栽培するものである。
【００１８】
前述のように透水性を有する透水性ユニット体１と、透水性ユニット体１を収納し且つ水を溜めるための凹型の箱体２とでなる図２に示すような地被植物用緑化パネル１４は、建物の屋上やベランダ等に単独で設置したり、又は複数並設して設置し、透水性ユニット体１の上面に直接芝やセダム等の地被植物１５を載置したり又は透水性ユニット体１の上面に根絡み層を載置してその上に地被植物１５を載置するものである。
【００１９】
地被植物用緑化パネル１４を複数並設する場合、この並設物である地被植物用緑化パネル並設物は地被植物用緑化パネル１４の並べ方や並べる数により自由にその平面形状を選ぶことができる。複数の地被植物用緑化パネル１４を並設した地被植物用緑化パネル並設物の外周を図３のように外周枠２６で囲み、地被植物用緑化パネル並設物を一体化するとともに外周の保護を行うようにしてもよい。
【００２０】
箱体２は水を溜めることができるように上方が開口した凹型をしており、箱体２が平面視四角形状をしており、箱体２の底面部には凹１６乃至凸１７が設けてある。添付図面においては箱体２の底面部に凹１６と凸１７とを設けた例を示したが、箱体２の底面部に凹１６のみを設けたり、あるいは箱体２の底面部に凸１７のみを設けたものであってもよい。箱体２は水を通さない材料により形成してある。
【００２１】
箱体２内に入れられる透水性ユニット体１は多孔質の材料よりなる透水性を有したものであり、一例としては、スポンジ、合成樹脂発泡体、多孔質ゴム等の多数の連続する小空隙を有し且つ柔軟性を有するもの単体又はこれらの多孔質の材料とその他の複合材料とで構成するものがある。本例で用いられる合成樹脂発泡体は連続気泡の柔軟性を有する合成樹脂発泡体である。
【００２２】
また、他の例としては、ガラス質火山灰を発泡させたシラスバルーンやパーライト等の多孔質材料、セラミック、軽石、合成樹脂発泡体等の多数の連続する小空隙を有し且つ後述の箱体２同士を連結することができる剛性を持ったもの単体又はこれらの多孔質の材料とその他の複合材料が用いられる。本例で用いられる合成樹脂発泡体は連続気泡の非柔軟性のものが用いられる。
【００２３】
まず、透水性ユニット体１がスポンジ、合成樹脂発泡体、多孔質ゴム等の多数の連続する小空隙を有し且つ柔軟性を有する柔軟性多孔質材３よりなる例につき説明する。本例においては、透水性ユニット体１が多数の連続する小空隙を有し且つ柔軟性を有する柔軟性多孔質材３により図１に示すように略板状に形成してある。この例においては、透水性ユニット体１が多数の連続する小空隙を有し且つ柔軟性を有する柔軟性多孔質材３によりなるので、透水性ユニット体１は毛細管現象による箱体２内に溜まった水の吸い上げ機能、多数の連続する小空隙を有していることによる保水機能、多数の連続する小空隙を有し且つ柔軟性を有することによる根絡み機能を備えている。
【００２４】
したがって、透水性ユニット体１を用いる場合には、水の吸い上げ機能、保水機能、根絡み機能を有しているので、箱体２内に透水性ユニット体１を入れ、この透水性ユニット体１の上面に芝やセダム等の地被植物１５を直接載置して栽培できるものである。つまり、地被植物１５の根が多数の連続する小空隙を有し且つ柔軟性を有する透水性ユニット体１内に入り込んで成長し、容易に根絡みすることができ、また、植物の根が成長して太くなっても透水性ユニット体１が柔軟性多孔質材３よりなるので内部の小空隙の周囲が変形することで容易に対応できるものであり、毛細管現象で吸い上げられ且つ柔軟性を有する透水性ユニット体１内の小空隙に保水された水を直接透水性ユニット体１内で植物の根に給水できて植物の良好な生育が図れるものである。したがって、別途根絡み層を設けなくても良好な植物の生育が図れ、構成が簡略化できるものである。勿論、いっそうの根絡みを必要とする場合や、植物の種類によっては透水性ユニット体１の上に別途不織布層などよりなる根絡み層を設けることも可能である。また、図１に示すように、透水性ユニット体１に根が入り込むための孔８を形成してもよいものである。このように透水性ユニット体１に孔８を設けると、孔８から根が入って透水性ユニット体１に根が入り易く、この孔８に入った根が更に透水性ユニット体１内部の連続する小空隙内に入って成長できるものである。ここで孔８を透水性ユニット体１の上下に貫通するように形成すると根の一部が孔８を通って水を溜めた箱体２の底部に到達できてより良好に根に水を供給できるものである。また、後述の各例においても透水性ユニット体１に根が入り込むための孔８を形成してもよい。
【００２５】
なお、柔軟性多孔質材３よりなる透水性ユニット体１は大きな荷重が作用すると変形するので、耐荷重性を増し、透水性ユニット体１全体としての剛性を増すために柔軟性多孔質材３と剛性のある骨組み材７とを組み合わせて耐荷重性を向上させるようにしてもよいものである。すなわち、図４に示すように、合成樹脂や金属により形成した剛性のある骨組み材７を柔軟性のある柔軟性多孔質材３中に埋設する。図４においては骨組み材７は格子状枠体７ａの各交差部に筒体７ｂが一体に連設してあり、骨組み材７を柔軟性多孔質材３中に埋設した状態で筒体７ｂが根が入り込むための孔８を形成することになる。このように柔軟性多孔質材３と剛性のある骨組み材７とを組み合わせることで、透水性ユニット体１の剛性を向上させ、耐荷重性を向上させることができるものである。
【００２６】
次に、図５に基づいて透水性ユニット体１の他例につき説明する。図５においては、多孔質粒状体４を多数の小孔５ａを有する袋５内に充填して透水性ユニット体１を構成してある。ここで袋５内に充填する多数の多孔質粒状体４としては、前述のいずれの透水性を有する多孔質材料（例えば、ガラス質火山灰を発泡させたシラスバルーンやパーライト等の多孔質材料、セラミック、軽石、スポンジ、合成樹脂発泡体、多孔質ゴム等）が使用できるものであり、これらの多孔質材料を粒状としたものを袋５内に充填してある。
【００２７】
この例においては、透水性ユニット体１が多孔質粒状体４を多数の小孔５ａを有する袋５内に充填して構成してあるので、透水性ユニット体１内の多数の多孔質粒状体４間に多数の連続する小間隙が形成され、この小間隙及び多孔質粒状体４自身の毛細管現象による箱体２内に溜まった水の吸い上げ機能、多数の連続する小空隙及び多孔質粒状体４による保水機能を有しており、更に多孔質粒状体４同士が非固定関係であるので植物の根が多孔質粒状体間の小空隙に入って成長しやすくて根絡みしやすいものである。したがって、この透水性ユニット体１を用いる場合には、水の吸い上げ機能、保水機能、根絡み機能を有しているので、箱体２内に透水性ユニット体１を入れ、この透水性ユニット体１の上面に芝やセダム等の地被植物１５を直接載置して栽培できるものである。つまり、袋５の小孔５ａから地被植物１５の根が袋５内に入って袋５内の多数の多孔質粒状体４間の小間隙に入り込んで成長し、容易に根絡みすることができ、また、植物の根が成長して太くなっても多孔質粒状体４同士が非固定関係であるので植物の根が多孔質粒状体４間の小空隙に入って成長しやすくて根絡みしやすく、この結果、毛細管現象で吸い上げられ且つ透水性ユニット体１内部に保水された水を直接透水性ユニット体１内で植物の根に給水できて植物の良好な生育が図れるものである。したがって、別途根絡み層を設けなくても良好な植物の生育が図れ、構成が簡略化でき、また、多孔質粒状体４が袋に入っているため取り扱いやすいものである。勿論、いっそうの根絡みを必要とする場合や、植物の種類によっては透水性ユニット体１の上に別途不織布層などよりなる根絡み層を設けることも可能である。
【００２８】
以下、本発明の実施形態を図６乃至図８に基づいて説明する。本発明においては、透水性ユニット体１に隣接する箱体２同士を連結する連結手段６を設けてある。すなわち、透水性ユニット体１の下面部に隣接する箱体２の側壁２ｂ同士を連結するための連結手段６である下方開口の嵌め込み溝部６ａを形成している。添付図面に示す実施形態においては透水性ユニット体１の下面部に嵌め込み溝部６ａを十字状に形成した例を示しており、隣接する４つの箱体２の十字状の交差部分に透水性ユニット体１を配置し、十字状をした嵌め込み溝部６ａを隣接する４つの箱体２の十字状の交差部分において隣接する箱体２の側壁２ｂに図６乃至図８のように上方から被嵌することで隣接する箱体２同士を前後左右に連結して４つの箱体２同士を連結するものであり、このように透水性ユニット体１により箱体２同士を連結することで、箱体２同士の位置決め、連結ができて風などの外力により箱体２が動いたり、箱体２同士が位置ずれしたりするのが防止されるものであり、また、多孔質の材料よりなる透水性を有する透水性ユニット体１で隣接する箱体２を跨いで連結することで、多孔質の材料よりなる透水性を有する透水性ユニット体１を介して一方の箱体２内に多く溜まった水が毛細管現象で隣の箱体２内に移送され、水を次々と隣接する箱体２内に移送循環させるとともに各箱体２内の水位をほぼ一定にするものである。図中３０は箱体２内に溜めた水を示す。
【００２９】
本実施形態においては前後左右に並んだ多数の箱体２のなす十字状の各交差部分にそれぞれ上記下面部に十字状の嵌め込み溝部６ａを有する透水性ユニット体１を配置して嵌め込み溝部６ａを隣接する４つの箱体２の十字状の交差部分において隣接する箱体２の側壁２ｂに被嵌することで、十字状に隣接する４つの箱体２同士を次々と連結すると共に、各箱体２内に４つの透水性ユニット体１の平面視で４等分した部分がそれぞれ嵌め込まれるものである。上記のように前後左右に配置した箱体２のうち端部に位置する箱体２内には透水性ユニット体１を平面視で４等分した大きさの小割り透水性ユニット体１ｃや、透水性ユニット体１を平面視で２つの長方形となるように２等分した大きさの小割り透水性ユニット体１ｄが入れられる。ここで、透水性ユニット体１を嵌め込み溝部６ａに沿って切断して上記小割り透水性ユニット体１ｃ、１ｄを形成するようにしてもよく、この場合透水性ユニット体１を切断しやすいように透水性ユニット体１の上面部に下面部の嵌め込み溝部６ａに対応して切断用切り込み溝３１を形成しておくとよりいっそう切断がしやすいものである。また、複数並設した箱体２の並設物のコーナ部分においては平面視でＬ状をした小割り透水性ユニット体を嵌め込むことも考えられる。
【００３０】
ところで、上記のように透水性ユニット体１に隣接する箱体２同士を連結する連結手段６を設けるものの場合、箱体２同士を連結することができる剛性を有している必要があるが、前述のスポンジ、合成樹脂発泡体、多孔質ゴム等の多数の連続する小空隙を有し且つ柔軟性を有する柔軟性多孔質材３を用いる場合は、図９に示すように柔軟性多孔質材３と他の剛性のある部材である骨組み材７を組み合わせて透水性ユニット体１を形成し、このように柔軟性多孔質材３と剛性のある骨組み材７とを組み合わせた全体として剛性のある透水性ユニット体１の下面部に隣接する箱体２の側壁２ｂ同士を連結するための連結手段６である下方開口の嵌め込み溝部６ａを形成し、この嵌め込み溝部６ａにより上記のように隣接する箱体２同士を連結することができるものである。
【００３１】
上記したいずれの実施形態、参考例の透水性ユニット体１にも肥料を蓄積するための肥料蓄積手段９を設けると、肥料を備えたユニット化した軽量で取り扱いやすい地被植物用緑化パネル１４を形成することができる。
【００３２】
透水性ユニット体１に肥料蓄積手段９を設けるに当たっては、例えば図１０に示すように、透水性ユニット体１に肥料１８を入れるための肥料入れ用凹部１９を形成して肥料蓄積手段９を構成するものである。肥料入れ用凹部１９に肥料１８を入れるには肥料入れ用凹部１９に肥料１８を直接収納してもよく、あるいは肥料１８を収納したカプセル１８ａを肥料入れ用凹部１９に収納するようにしてもよいものである。また、図１０においては透水性ユニット体１を上下体１ａ、１ｂに分割し、下体１ｂ乃至上体１ａのいずれかに肥料入れ用凹部１９を設け、肥料入れ用凹部１９に肥料１８を入れた後に上下体１ａ、１ｂを上下に合わせて肥料入れ用凹部１９を塞いだ状態で上下体１ａ、１ｂを任意の結合手段により結合するものであり、例えば図１０のイで示す部分で接着剤や接合具により接合するものである。このようにすると肥料が一度に外部に漏れず、徐々に透水性ユニット体１内に染み出して長期間にわたって植物の根に肥料分を供給することができるものである。
【００３３】
上記の各実施形態、参考例において、箱体２の側壁の外面あるいは外コーナ部分にネット等の覆い物１０を取付けるための覆い物取付け手段１１を設けてもよいものである。図１１においては逆Ｌ状をしたフックを箱体２の外面側に設けることで覆い物取付け手段１１を構成してある。このように覆い物取付け手段１１を設けておくと、地被植物１５が十分に根を張っていない場合など図１１のようにネットのようなシート状をした覆い物で地被植物１５を覆い、覆い物を引っ掛け等により覆い物取付け手段１１に取付けることで風などにより地被植物１５が飛散しないようにできるものである。
【００３４】
また、上記いずれの実施形態、参考例においても図１２に示すように、箱体２に排水部１２を上下方向に複数個設けてもよいものである。各排水部１２は排水孔１２ａと排水孔１２ａに着脱自在に取付ける栓１２ｂとで構成してあり、箱体２に排水部１２を上下方向に複数個設けることで、地被植物１５の種類に応じて上下複数の排水部１２のうち任意の排水部１２を開とし（つまり任意の排水孔１２ａの栓１２ｂを取り外して排水孔１２ａを開とする）、箱体２内の水位を調整して箱体２内の水量を調整する。例えば、水分をあまり必要としない植物の場合には低い位置の排水孔１２ａを開け、多くの水分を必要とする植物の場合には高い位置の排水孔１２ａを開け、植物の種類によって箱体２内に溜まる水を最適な水量とすることができる。
【００３５】
また、上記いずれの実施形態、参考例においても箱体２に断熱層１３を設けて断熱性を高めるようにするのがよい。特に、箱体２の底面部２ａに断熱層１３を設けることで、建物への断熱効果が期待でき、建物内の冷暖房費の削減効果がある。箱体２に断熱層１３を設けるに当たっては、例えば、図１３のように底面部２ａの外皮層２ｃ間にグラスウールやロックウールなどの断熱材の層を設けることで断熱層１３を構成している。他の例としては箱体２の底面部２ａ等内にガラス質火山灰を発泡させたシラスバルーンやパーライト等の多孔質材料、セラミック、軽石、スポンジ、合成樹脂発泡体、多孔質ゴム等を入れて断熱層１３を形成してもよいものである。
【００３６】
図１４には柔軟性多孔質材３である柔軟性を有する連続気泡発泡体３ａにより透水性ユニット体１を形成する一例が示してある。すなわち、図１４のようにフェノールホルマリンに界面活性剤、着色剤、有機酸及びノンフロン系発泡剤を加え、これを発泡硬化させて粒径２００〜５００ミクロンの柔軟性を有する連続発泡のフェノールフォーム（連続気泡発泡体３ａ）を形成し、この柔軟性を有する連続気泡のフェノールフォーム（連続気泡発泡体３ａよりなる柔軟性多孔質材３）を適当寸法にカットし、孔あけ加工等を施して柔軟性を有する連続気泡発泡体３ａよりなる透水性ユニット体１を形成したり、あるいは、柔軟性を有する連続気泡発泡体３ａとこれよりも剛性が高い骨組み材７と組み合わせることで全体の剛性が高い透水性ユニット体１を形成したりするものである。
【００３７】
また、図１５には、ガラス質火山灰を発泡させたシラスバルーンやパーライト等の多孔質材料を用いて透水性ユニット体１を形成する例が示してある。すなわち、図１５のようにガラス質火山岩やガラス質火山岩堆積物２１を粉砕して原料粉体２２を形成し、この原料粉体２２を約１０００℃で発泡させてシラスバルーンやパーライト２３を形成し、このようにして形成したシラスバルーンやパーライト２３を圧縮成形により目的とする形状に型取りし、その後、約１０００℃で炉２４により焼いて完成品である目的とする形状の透水性ユニット体１を形成したり、あるいは、上記原料粉体２２を形成した後、原料粉体２２を５〜１０ｍｍ程度の粒状に成形し、このようにして得た多孔質粒状体４を多数の小孔５ａを有する袋５内に充填して透水性ユニット体１を形成したりするものである。
【００３８】
もちろん、上記各例以外の方法により透水性ユニット体１を形成してもよいものである。
【００３９】
透水性ユニット体１の下面部には配水管、電気配管等の配管（図示せず）を通すための配管通し部２５が設けてあり、添付図面に示す例においては、透水性ユニット体１の下面部に溝（例えば下面部の前後方向及び左右方向にわたって格子状に複数の溝）を形成して配管通し部２５が形成してある。
【００４０】
地被植物用緑化パネル１４の箱体２に水を溜めるには、例えば、地被植物用緑化パネル１４の上面の地被植物１５に散水することで、散水した水を箱体２内に溜めることができる。もちろん、自動灌水装置により水を供給するようにしてもよいものである。この場合、地被植物用緑化パネル１４の箱体２の側壁に孔をあけ、この孔に給水用配管や電気配管等の配管を通し、配管を通した孔をシールする。挿入した配管は箱体２内において透水性ユニット体１に設けた配管通し部２５に配置することで、コンパクトに配管を収納できるものである。配管により給水するに当たっては、複数の地被植物用緑化パネル１４を並設した地被植物用緑化パネル並設物において一部の地被植物用緑化パネル１４のみに配管を導入して給水するようにしてもよく、また、全ての地被植物用緑化パネル１４に配管を導入して給水するようにしてもよい。
【００４１】
【発明の効果】
上記のように本発明の請求項１記載の発明にあっては、多孔質の材料よりなる透水性を有する透水性ユニット体と、透水性ユニット体を収納し且つ水を溜めるための凹型の箱体とからなるので、透水性ユニット体と箱体とよりなる簡単な構造のユニット化した軽量で取り扱いやすい地被植物用緑化パネルを形成することができ、箱体内に溜めた水を透水ユニットにより毛細管現象で吸い上げて透水性ユニット体の上面に載置する地被植物に給水できるものであり、この結果、建物屋上、ベランダ等の人工地盤上において植物栽培をするに当たって、施工が簡略化でき、従来のような土盛り、防水処理が必要でなく、建物の荷重負担も小さくてよく、移設や増設が簡単に行えるものである。また、透水性ユニット体の下面部に下方開口の嵌め込み溝部を形成し、隣接する箱体の側壁に嵌め込み溝部を上方から被嵌することで透水性ユニット体により隣接する箱体を跨いで連結するので、上記上面に載置する地被植物に水分を補給するための透水性ユニット体で隣接する箱体を連結することができ、しかも、このように透水性ユニット体に設けた嵌め込み溝部を隣接する箱体の側壁に被嵌して隣接する箱体同士を連結することで、透水性ユニット体の下部の嵌め込み溝部の両側の部位がそれぞれ隣接する箱体内に嵌め込まれ、これにより多孔質の材料よりなる透水性を有する透水性ユニット体を介して一方の箱体内に多く溜まった水が毛細管現象で隣の箱体内に移送され、水を次々と隣接する箱体内に移送循環させるとともに各箱体内の水位をほぼ一定にするものである。
【００４２】
また、請求項２記載の発明にあっては、上記請求項１記載の発明の効果に加えて、透水性ユニット体がスポンジ、合成樹脂発泡体、多孔質ゴム等の多数の連続する小空隙を有し且つ柔軟性を有する柔軟性多孔質材であるから、地被植物の根が柔軟性を有する柔軟性多孔質材よりなる透水性ユニット体内に入り込んで成長し、容易に根絡みすることができるものであり、植物の根が成長して太くなっても柔軟性を有する柔軟性多孔質材よりなる透水性ユニット体の内部の小空隙の周囲が変形することで容易に対応できるものであり、毛細管現象で吸い上げられ且つ柔軟性を有する柔軟性多孔質材よりなる透水性ユニット体内の小空隙に保水された水を直接透水性ユニット体内で根絡みした植物の根に給水できるものである。また、このように透水性ユニット体自体が絡みする機能を備えているので根絡みさせるに当たって土壌を必要としないものであり、この結果、取り扱い易く、周囲を土壌で汚す必要ななく、雨や風で流れたり飛散したりせず、更に、透水性ユニット体自体に根絡み機能を付与することで、別途根絡み層が必ずしも必要でないものである。
【００４３】
また、請求項３記載の発明にあっては、上記請求項１記載の発明の効果に加えて、透水性ユニット体を柔軟性を有する柔軟性多孔質材と柔軟性多孔質材よりも剛性に優れた骨組み材とを組み合わせて構成してあるので、柔軟性を有する柔軟性多孔質材を用いたものであっても骨組み材と組み合わせることで透水性ユニット体全体としての剛性を向上させて隣接する箱体同士を連結することができるものである。
【００４４】
また、請求項４記載の発明にあっては、上記請求項１又は請求項２記載の発明の効果に加えて、透水性ユニット体に根が入り込むための孔を形成してあるので、透水性ユニット体に孔から容易に根が入ることができて、毛細管現象により供給される水を透水性ユニット体内で直接根から給水できるものである。
【００４５】
また、請求項５記載の発明にあっては、上記請求項１乃至請求項４のいずれかに記載の発明の効果に加えて、透水性ユニット体に肥料を蓄積するための肥料蓄積手段を設けてあるので、簡単な構成で肥料を備えたユニット化した軽量で取り扱いやすい地被植物用緑化パネルを形成することができるものである。
【００４６】
また、請求項６記載の発明にあっては、上記請求項１乃至請求項５のいずれかに記載の発明の効果に加えて、箱体にネット等の覆い物を取付けるための覆い物取付け手段を設けてあるので、覆い物を容易に取付けることができて地被植物の飛散防止ができるものである。
【００４７】
また、請求項７記載の発明にあっては、上記請求項１乃至請求項６のいずれかに記載の発明の効果に加えて、箱体に複数の排水部を上下方向に設けてあるので、任意の排水部を選択して排水することで、簡単に地被植物の種類に応じて箱体内の水量を調整することができるものである。
【００４８】
また、請求項８記載の発明にあっては、上記請求項１乃至請求項７のいずれかに記載の発明の効果に加えて、箱体に断熱層を設けてあるので、建物との断熱を高めることができ、建物の冷暖房コストを低減できるものである。
【図面の簡単な説明】
【図１】  地被植物用緑化パネルの参考例の分解斜視図である。
【図２】  同上の地被植物用緑化パネルの斜視図である。
【図３】  同上の複数の地被植物用緑化パネルを並設した状態の斜視図である。
【図４】  同上の骨組み材を複合した透水性ユニット体を示し、（ａ）は斜視図であり、（ｂ）は分解斜視図であり、（ｃ）は平面図であり、（ｄ）は（ｃ）のＸ−Ｘ線断面図である。
【図５】  地被植物用緑化パネルの他の参考例の分解斜視図である。
【図６】  本発明の透水性ユニット体により隣接する箱体同士を連結する例を示す斜視図である。
【図７】  同上の断面図である。
【図８】  同上の全体を示す一部省略斜視図である。
【図９】  同上の更に他の実施形態を示し、（ａ）は斜視図であり、（ｂ）は分解斜視図である。
【図１０】  肥料蓄積手段を設けた例を示し、（ａ）は斜視図であり、（ｂ）は分解斜視図である。
【図１１】  （ａ）（ｂ）はそれぞれ覆い物取付け手段を設けた例を示す斜視図である。
【図１２】  箱体に排水部を設けた例を示す斜視図である。
【図１３】  箱体の底面部に断熱層を設けた例を示し、（ａ）は断面図であり、（ｂ）は（ａ）のＹ部分の拡大断面図である。
【図１４】  透水性ユニット体を形成する例を示す説明図である。
【図１５】  透水性ユニット体を形成する他例を示す説明図である。
【符号の説明】
１  透水性ユニット体
２  箱体
３  柔軟性多孔質材
４  小孔
６  連結手段
７  骨組み材
８  孔
９  肥料蓄積手段
１０  覆い物
１１  覆い物取付け手段
１２  排水部
１３  断熱層
【図１】
0004622136.tif 000002
【図２】
0004622136.tif 000003
【図３】
0004622136.tif 000004
【図４】
0004622136.tif 000005
【図５】
0004622136.tif 000006
【図６】
0004622136.tif 000007
【図７】
0004622136.tif 000008
【図８】
0004622136.tif 000009
【図９】
0004622136.tif 000010
【図１０】
0004622136.tif 000011
【図１１】
0004622136.tif 000012
【図１２】
0004622136.tif 000013
【図１３】
0004622136.tif 000014
【図１４】
0004622136.tif 000015
【図１５】
0004622136.tif 000016